(57)【要約】【課題】荷役パレット用積荷拘束装置として、操作的に非常に簡単で能率よく短時間で拘束作業を行え、積荷及びパレットを損傷することなく確実な拘束状態が得られるものを提供する。【解決手段】中空蓋板１と、中空蓋板１内に設けたコードリール７と、先端側にパレット掛止具３を取り付けた複数本の索体２と、索体緊締手段とを備える。パレット掛止具３は、ステー部３ａの両端に反対方向へ曲折する張出片３ｂ，３ｃが形成され、一方の張出片３ｂの先端側に索体２が止着される。荷役パレットＰの積荷Ｆ…上に中空蓋板１を載置し、両側端部の索体引出し口１０…から引き出した索体２先端のパレット掛止具３をパレットＰのフォーク差込み口Ｅに挿入し、両張出片３ｂ，３ｃがパレット上下板部ｐ１，ｐ２に当接した状態で、索体緊締手段を締付け操作し、引き締められた複数本の索体２…を介して積荷Ｆ…が荷役パレットＰと中空蓋板１との間で拘束されるように構成されてなる。【選択図】図１
2010023911.tif 000002
【特許請求の範囲】
【請求項１】
前後両端部に索体引出し口を有して荷役パレットの積荷上に載置される中空蓋板と、この中空蓋板内に設けられた索体巻込み手段と、この索体巻込み手段に基端側を保持されて先端側にパレット掛止具を取り付けた複数本の索体と、前記中空蓋板に設けられた索体緊締手段とを備え、
前記パレット掛止具は、ステー部の両端に相互に反対方向へ曲折する張出片が一体形成され、その一方の張出片の先端側に前記索体が止着され、
前記索体は、中空蓋板の索体引出し口に前記パレット掛止具が配置する引込み姿勢から外側へ引出し可能であると共に、索体巻込み手段によって常時引込み方向に付勢され、
前記索体緊締手段は、締付け操作によって前記索体を強制的に中空蓋板内へ引き込む一方、その弛緩操作によって該索体の引込みを解除するように構成され、
荷役パレットの積荷上に前記中空蓋板を載置し、索体緊締手段の弛緩状態において、該中空蓋板の両側端部の索体引出し口から引き出した各索体の先端のパレット掛止具をパレットのフォーク差込み口に挿入し、その索体止着側の張出片がパレット上板部下面に、他方の張出片がパレット下板部上面にそれぞれ当接した状態で、索体緊締手段を締付け操作することにより、引き締められた複数本の索体を介して積荷が荷役パレットと中空蓋板との間で拘束されるように構成されてなる荷役パレット用積荷拘束装置。
【請求項２】
前記中空蓋板の前後両端部の各左右両側位置に索体引出し口を有すると共に、これら索体引出し口に対応する４本の前記索体を備え、前記索体緊締手段が左右一対の索体に対して同時に締付け及び弛緩操作するように構成されてなる請求項１に記載の荷役パレット用積荷拘束装置。
【請求項３】
前記パレット掛止具は、ステー部と各張出片との曲折角度を９０度以上とした引き延ばしＺ字状をなす請求項１又は２に記載の荷役パレット用積荷拘束装置。
【請求項４】
前記索体緊締手段は、中空蓋板内に回転自在に配置したスクリュー軸にスライダーが螺合すると共に、該スクリュー軸の一端に固着した操作ハンドルが中空蓋板の外側に配置し、該操作ハンドルの回転に伴う前記スライダーの一方向移動により、中空蓋板内の把持部材が前記索体を把持して引締め方向に変位すると共に、該スライダーの逆方向移動により、該把持部材が索体の把持を解除して弛緩方向に変位するように構成されてなる請求項１〜３のいずれか１項に記載の荷役パレット用積荷拘束装置。
【請求項５】
前記操作ハンドルに使用時の突出姿勢と不使用時の倒伏姿勢とに転換可能な把手部が設けられると共に、前記中空蓋板側に倒伏姿勢の該把手部との係合によって操作ハンドルを回転不能に保持するロック部が形成されてなる請求項４記載の荷役パレット用積荷拘束装置。
【請求項６】
前記把持部材は、半割りテーパーコーンであり、前記スライダーに設けたテーパー筒部に嵌合しており、その両半割体間に前記索体が配置し、該スライダーが一方向に移動する際、テーパー誘導によって相互に接近する両半割体間で索体を挟持して引締め方向に変位すると共に、該スライダーが逆方向に移動する際、ばね材の付勢によって両半割体が離間して索体の挟持を解除して且つ弛緩方向に変位するように構成されてなる請求項４又は５に記載の荷役パレット用積荷拘束装置。
【請求項７】
前記索体巻込み手段がゼンマイばねによる巻き込み機能を持つ請求項１〜６のいずれか１項に記載の荷役パレット用積荷拘束装置。
【発明の詳細な説明】
【技術分野】
【０００１】
この発明は、荷役パレットにおける荷崩れ防止に用いる積荷拘束装置に関する。
【背景技術】
【０００２】
従来、荷役パレットの荷崩れ防止手段として、積荷の上からネット状等のカバーシートを被せ、その周縁に設けた掛止フックや掛止ベルトを介してパレット側のフォーク挿入口等に掛止する方法（例えば、特許文献１）、荷締め用ベルトを該フォーク挿入口を通して積荷に縦に周回させて緊締する方法（特許文献２）、積荷に荷締め用パッドを当てがった上から荷締め用バンドで締め付ける方法（特許文献３）等が採用されている。また、積荷の上にキャップを載せ、該キャップから引き出した束縛ストランドの先端フックをパレット側の中央スペーサの両側に掛止したのち、レバー操作によって束縛ストランドを引き締める方法（特許文献４）等も提案されている。
【特許文献１】実用新案登録第３１２９６８４号公報
【特許文献２】特開昭２００２−４６７０６号公報
【特許文献３】特開昭２００２−２８４１６５公報
【特許文献４】特表２００４−５０３４４２号公報
【発明の開示】
【発明が解決しようとする課題】
【０００３】
しかしながら、前記従来のカバーシートや荷締め用ベルトを用いる方法、荷締め用パッド及び荷締め用バンドを用いる方法では、積荷の拘束に手間がかかって作業能率に劣るという問題があった。また、前記提案の積荷上に載せたキャップから束縛ストランドを引き出してパレットに掛止させる方法では、束縛ストランドの先端フックによる掛止が不安定で、パレットから外れる懸念があると共に、該先端フックの鉤先によってパレットに傷を生じ易いという難点もあった。
【０００４】
この発明は、上述の事情に鑑みて、荷役パレット用積荷拘束装置として、操作的に非常に簡単で能率よく短時間で拘束作業を行える上、積荷及びパレットを損傷することなく確実な拘束状態が得られるものを提供することを目的としている。
【課題を解決するための手段】
【０００５】
上記目的を達成するために、本発明は以下の手段を提供する。
【０００６】
〔１〕前後両端部に索体引出し口を有して荷役パレットの積荷上に載置される中空蓋板と、この中空蓋板内に設けられた索体巻込み手段と、この索体巻込み手段に基端側を保持されて先端側にパレット掛止具を取り付けた複数本の索体と、前記中空蓋板に設けられた索体緊締手段とを備え、前記パレット掛止具は、ステー部の両端に相互に反対方向へ曲折する張出片が一体形成され、その一方の張出片の先端側に前記索体が止着され、前記索体は、中空蓋板の索体引出し口に前記パレット掛止具が配置する引込み姿勢から外側へ引出し可能であると共に、索体巻込み手段によって常時引込み方向に付勢され、前記索体緊締手段は、締付け操作によって前記索体を強制的に中空蓋板内へ引き込む一方、その弛緩操作によって該索体の引込みを解除するように構成され、荷役パレットの積荷上に前記中空蓋板を載置し、索体緊締手段の弛緩状態において、該中空蓋板の両側端部の索体引出し口から引き出した各索体の先端のパレット掛止具をパレットのフォーク差込み口に挿入し、その索体止着側の張出片がパレット上板部下面に、他方の張出片がパレット下板部上面にそれぞれ当接した状態で、索体緊締手段を締付け操作することにより、引き締められた複数本の索体を介して積荷が荷役パレットと中空蓋板との間で拘束されるように構成されてなる荷役パレット用積荷拘束装置。
【０００７】
〔２〕前記中空蓋板の前後両端部の各左右両側位置に索体引出し口を有すると共に、これら索体引出し口に対応する４本の前記索体を備え、前記索体緊締手段が左右一対の索体に対して同時に締付け及び弛緩操作するように構成されてなる前項１に記載の荷役パレット用積荷拘束装置。
【０００８】
〔３〕前記パレット掛止具は、ステー部と各張出片との曲折角度を９０度以上とした引き延ばしＺ字状をなす前項１又は２に記載の荷役パレット用積荷拘束装置。
【０００９】
〔４〕前記索体緊締手段は、中空蓋板内に回転自在に配置したスクリュー軸にスライダーが螺合すると共に、該スクリュー軸の一端に固着した操作ハンドルが中空蓋板の外側に配置し、該操作ハンドルの回転に伴う前記スライダーの一方向移動により、中空蓋板内の把持部材が前記索体を把持して引締め方向に変位すると共に、該スライダーの逆方向移動により、該把持部材が索体の把持を解除して弛緩方向に変位するように構成されてなる前項１〜３のいずれか１項に記載の荷役パレット用積荷拘束装置。
【００１０】
〔５〕前記操作ハンドルに使用時の突出姿勢と不使用時の倒伏姿勢とに転換可能な把手部が設けられると共に、前記中空蓋板側に倒伏姿勢の該把手部との係合によって操作ハンドルを回転不能に保持するロック部が形成されてなる前項４に記載の荷役パレット用積荷拘束装置。
【００１１】
〔６〕前記把持部材は、半割りテーパーコーンであり、前記スライダーに設けたテーパー筒部に嵌合しており、その両半割体間に前記索体が配置し、該スライダーが一方向に移動する際、テーパー誘導によって相互に接近する両半割体間で索体を挟持して引締め方向に変位すると共に、該スライダーが逆方向に移動する際、ばね材の付勢によって両半割体が離間して索体の挟持を解除して且つ弛緩方向に変位するように構成されてなる前項４又は５に記載の荷役パレット用積荷拘束装置。
【００１２】
〔７〕前記索体巻込み手段がゼンマイばねによる巻き込み機能を持つ前項１〜６のいずれか１項に記載の荷役パレット用積荷拘束装置。
【発明の効果】
【００１３】
〔１〕の発明に係る荷役パレット用積荷拘束装置では、荷役パレットの積荷上に中空蓋板を載置し、索体緊締手段の弛緩状態において、該中空蓋板の索体引出し口から引き出した各索体の先端のパレット掛止具をパレットのフォーク差込み口に挿入し、その索体止着側の張出片がパレット上板下面に、他方の張出片がパレット下板上面にそれぞれ当接する状態で、索体緊締手段を締付け操作することにより、引き締められた複数本の索体を介して積荷が荷役パレットと中空蓋板との間で拘束されるから、非常に簡単な操作によって能率よく短時間で拘束作業を行える。しかも、パレット掛止具は、パレットのフォーク差込み口に挿入後、上記のように両張出片がパレット下板上面に当接するようにステー部を起立させれば、上側の張出片を索体巻込み手段によって引込み方向に付勢された索体に吊持される形で、その起立姿勢を自己保持できる。従って、次の索体緊締手段による索体の引き締めに際し、作業者の手で当該パレット掛止具を定姿勢に保持しておく必要がないから、拘束作業全体を一人の作業者で無理なく行える。
【００１４】
また、索体緊締手段で索体を引き締めた際、パレット掛止具には索体止着側の張出片の先端側を持ち上げるように力が加わり、これによって該張出片がパレット上板部に押し付けられると同時に、上記持ち上げの力が該張出片の基端の曲折部分を支点として当該パレット掛止具を垂直面内で回転させるように作用するから、他方（下側）の張出片がパレット下板部上面に押し付けられ、もってパレット掛止具はパレット上下板部の両方に圧接した強固な掛止状態になる。更に、該パレット掛止具は、索体止着側の張出片の先端と他方の張出片の基部とが接地する倒伏姿勢での高さを低く設定できるから、パレットのフォーク差込み口への挿入を倒伏姿勢で容易に行えると共に、両張出片の平行間隔をフォーク差込み口の上下間隔に合わせることにより、前記起立姿勢で両張出片がパレット上下板部に対して面接触する形になり、引締め力がパレット上下板部に分担されて且つ面接触で局部に集中しないため、索体の引締めによるパレットの損傷が回避される。
【００１５】
〔２〕の発明によれば、上記の荷役パレット用積荷拘束装置として、中空蓋板における前後両端部の各左右両側位置の索体引出し口から導出される４本の索体により、積荷をより安定した状態で拘束できると共に、左右一対の索体を索体緊締手段によって同時に締付け及び弛緩操作できるから、拘束作業をより能率よく行えるものが提供される。
【００１６】
〔３〕の発明によれば、前記パレット掛止具は、ステー部と各張出片との曲折角度を９０度以上とした引き延ばしＺ字状をなすから、索体止着側の張出片の先端と他方の張出片の基部とが接地する倒伏姿勢での高さが低く、パレットのフォーク差込み口への挿入がより容易であると共に、該フォーク差込み口への挿入後、起立姿勢で索体を引き締めた際に該フォーク差込み口から抜出不能となり、より確実な掛止状態が得られる。
【００１７】
〔４〕の発明によれば、前記索体緊締手段は、操作ハンドルの正逆回転に伴うスライダーの移動により、中空蓋板内の把持部材による索体の把持及び引締めと、該把持部材による索体の把持解除とを行うものであるから、操作が非常に簡単である上、積荷の種類と性状等に応じて引締め度合を適宜調整でき、引締めによって積荷が変形したり逆に拘束不足になるのを防止できる。
引締め力の調整も容易になる。
【００１８】
〔５〕の発明によれば、前記索体緊締手段の操作ハンドルを把手部によって容易に回転操作できると共に、該把手部を倒伏させることで操作ハンドルが回転不能にロックされるから、引締め後の索体が操作ハンドルの不用意な回転で弛む懸念がない。
【００１９】
〔６〕の発明によれば、前記索体緊締手段の把持部材が半割りテーパーコーンであり、その両半割体間がスライダーの一方向移動に伴うテーパー誘導で接近して索体を挟持し、引締め方向に変位すると共に、該スライダーの逆方向移動に伴って両半割体が離間して索体の挟持を解除して且つ弛緩方向に変位する構成であるから、該索体緊締手段による索体の引締めと引締め解除が確実になされる。
【００２０】
〔７〕の発明によれば、前記索体巻込み手段は、ゼンマイばねを利用するものであるから、無動力で確実な巻込み機能を発揮できる上、機構的に簡素で故障を生じにくく、低コストで調達できるという利点がある。
【発明を実施するための最良の形態】
【００２１】
以下、この発明に係る荷役パレット用積荷拘束装置の実施形態について、図面を参照して具体的に説明する。図１は並置した荷役パレット２枚分の積荷に適用する積荷拘束装置の不使用時の折畳み状態と使用状態、図２は同積荷拘束装置の折畳み式中空蓋板の蓋半体同士を分離した状態、図３は同積荷拘束装置に用いるパレット掛止具、図４は同パレット掛止具の荷役パレットに対する掛止状態、図５は同積荷拘束装置における索体緊締手段の操作ハンドル、図６は同蓋半体の上下板を分離した状態、図７は同索体緊締手段の主要部、図８は図７のＸ−Ｘ線の矢視断面、図９は同索体緊締手段による索体の引込み動作、をそれぞれ示す。
【００２２】
図１に示すように、この荷役パレット用積荷拘束装置Ｍは、一対の略正方形厚板状の蓋半体１ａ，１ａが蝶番型に枢着連結して折畳み式の中空蓋板１を構成しており、不使用時には同図（Ａ）の如く両蓋半体１ａ，１ａが重なるように折り畳むことにより、平面視で半分の大きさになる。そして、該中空蓋板１は、各蓋半体１ａが１枚の荷役パレットＰと略等しい平面サイズを有しており、使用に際して両蓋半体１ａ，１ａを開いた形態とすることにより、同図（Ｂ）の如く並置した２枚の荷役パレットＰ，Ｐにわたって積荷Ｆ…全体を覆うように載置できる。
【００２３】
この中空蓋板１の長手方向両端面つまり各蓋半体１ａの非枢着側の端面には、左右両側に索体引出し口１０，１０が設けられると共に、該端面の中央部に帯板状の操作ハンドル４が取り付けられており、各索体引出し口１０から蓋半体１ａ内に収容されているワイヤーロープの如き索体２を引き出して、該索体２の先端に止着したパレット掛止具３を荷役パレットＰのフォーク差込み口Ｅに掛止したのち、操作ハンドル４の回転操作によって索体２を引き締めるようになっている。
【００２４】
中空蓋板１の両蓋半体１ａ，１ａは、外形及び内部構造共に同一構成であり、図２で示すように、各々の連結側の端縁に沿って一定間隔置きに設けた複数（図では４個）の軸挿通部１１…が互いに相手側の空所に入り込む形で、両者の該端縁同士を突き合わせ、もって一直線に配置した両者の軸挿通部１１…に枢軸１２を挿通することにより、蝶番型に枢着連結されている。なお、軸挿通部１１…は、両蓋半体１ａ，１ａが重なる状態に折り畳めるように、斜め上方へ突出する形になっている。また、各蓋半体１ａの複数箇所（図では１０箇所）にねじ挿通孔１３…が設けてある。
【００２５】
パレット掛止具３は、図３（Ａ）（Ｂ）で示すように、丸軸状のステー部３ａと、その両端から相互に反対方向へ曲折した略小判形の偏平な張出片３ｂ，３ｃとで、全体として引き延ばしたＺ字状をなしており、一方の張出片３ｂの先端側に索体２を止着するための透孔３０が穿設されている。張出片３ｂ，３ｃは互いに平行であり、その平行間隔ｄ１が荷役パレットＰのフォーク差込み口Ｅの上下幅に略等しく設定されると共に、張出片３ｂ，３ｃの各々とステー部３ａとの折曲角度θは９０度以上の広角、好ましくは１００〜１５０度の範囲に設定される。そして、このパレット掛止具３では、図３（Ｂ）で示すように、張出片３ｂの先端と張出片３ｃの基端の曲折部３２とが接地した状態（倒伏姿勢）での高さｄ２が、前記平行間隔ｄ１の１／２以下になっている。
【００２６】
従って、中空蓋板１の索体引出し口１０から索体２を引き出し、その先端のパレット掛止具３を荷役パレットＰのフォーク差込み口Ｅに掛止する際、該パレット掛止具３を図４の仮想線の如く倒伏姿勢にすることにより、該差込み口Ｅに容易に挿入できる。そして、この挿入後のパレット掛止具３は、索体２が上方へ引き戻された時、張出片３ｂの先端側を吊り上げられてステー部３ａが起立し、同図実線で示すように、張出片３ｂがパレット上板ｐ１の下面に、他方の張出片３ｃがパレット下板部ｐ２の上面にそれぞれ面接触で当接した起立姿勢となる。更に、操作ハンドル４の回転操作によって索体２が引き締められると、当該パレット掛止具３は、持ち上げられた張出片３ｂがパレット上板部ｐ１に押し付けられると同時に、その持ち上げの力が該張出片３ｂの基端の曲折部分３１を支点として垂直面内で回転させるように作用するから、下側の張出片３ｃがパレット下板部ｐ２上面に押し付けられ、もってパレット上下板部ｐ１，ｐ２の両方に圧接した強固な掛止状態で、フォーク差込み口Ｅから抜出不能となる。
【００２７】
なお、張出片３ｂ，３ｃの各々とステー部３ａとの折曲角度θが９０度未満の狭角である場合、張出片３ｂ，３ｃの平行間隔ｄ１を荷役パレットＰのフォーク差込み口Ｅの上下幅に略等しく設定すると、倒伏姿勢からステー部３ａを起立させても曲折部３１，３２がパレット上下板部ｐ１，ｐ２に当接するだけで、両張出片３ｂ，３ｃを面接触させることができない。
【００２８】
図５に示すように、操作ハンドル４は、帯板状をなし、その基端部内面側に突設した軸部４ａを中空蓋板１内に配置する逆ねじ型のスクリュー軸５の一端に連結した状態で、該中空蓋板１の外側に垂直面内回転可能に配置すると共に、先端側に設けた長手方向に沿う長孔４ｂの内側に嵌め込む形で、丸棒状の把手４１が枢支ピン４２を介して起倒自在に枢着されている。また、中空蓋板１の端面側には、該操作ハンドル４の軸部４ａの貫通位置を挟む両側位置に、横長矩形のロック孔１４，１４が形成されている。しかして、操作ハンドル４を回転する際は、図示仮想線のように前方突出させた把手４１を把持して楽に回転操作できる。一方、操作ハンドル４を回転不能にロックする場合は、該中空蓋板１の操作ハンドル４を中空蓋板１の端縁に沿う右又は左向きとして、把手４１を図示実線のように倒伏させれば、該把手４１がその太さによって操作ハンドル４の内側へ突出し、この突出部分が中空蓋板１側のロック孔１４に入り込み、もって当該操作ハンドル４が回転不能になる。なお、ロック孔１４が操作ハンドル４の軸部４ａを挟む両側にあるから、該操作ハンドル４のロックは半回転刻みで行える。
【００２９】
図６に示すように、中空蓋板１の各蓋半体１ａは、共に硬質合成樹脂成形物からなる上板体１２と下板体１３とで構成されており、上板体１２側に蓋半体１ａの周壁をなす縁枠部１２ａが一体形成され、下板体１３上に索体巻込み手段及び索体緊締手段の構成部材が設置されている。そして、上下板体１２，１３は、上板体１２側の各ねじ挿通孔１４に通した連結ねじ１５を、下板体１３の上面側に凸状に設けた雌ねじ筒部１６に螺合緊締することにより、中空蓋板１の蓋半体１ａとする。なお、蓋半体１ａの各軸挿通部１１（図２参照）は、上板体１２側の軸挿通部１１ａと下板体１３側の軸挿通部１１ｂとが合接して構成される。
【００３０】
下板体１３上の左右方向中央位置には、前後方向に沿うスクリュー軸５が前後の軸受５１，５２を介して回転自在に配置すると共に、左右方向に沿う帯板状のスライダー６が該スクリュー軸５に螺合するナット部材６０（図７参照）に固着され、操作ハンドル４を含めて索体緊締手段を構成している。
【００３１】
また、下板体１３上の左右両側位置には、それぞれ内奥側に索体巻込み手段としてのゼンマイばねを内蔵したコードリール７が取り付けられ、該コードリール７から引き出された前記ワイヤーロープの如き索体２が前後方向に沿って索体引出し口１０へ伸びている。しかして、コードリール７はゼンマイばねの蓄力によって索体２を常時引込み方向に付勢しているが、引き出された索体２は、索体引出し口１０の内奥側に設けられた索体通過幅の狭いストッパーゲート１７（図６参照）でパレット掛止具３が係止されることにより、当該パレット掛止具３の張出片３ｃが索体引出し口１０から僅かに外側へ突出した位置を引込み限界位置としている。
【００３２】
更に、左右両側位置におけるコードリール７と索体引出し口１０との間には、スライダー６に連動する把持機構２０が配置している。この把持機構２０は、図７及び図８で詳細に示すように、筒軸２１ａの前端に矩形のコーン保持枠２１ｂを連結一体化した摺動枠体２１と、そのコーン保持枠２１ｂの前面側に保持された半割りテーパーコーン２２と、蓋半体１ａの下板体１３に固設され、摺動枠体２１の筒軸２１ａをブシュ２３ａを介して軸方向摺動自在に挿通させた摺動ガイド２３と、摺動枠体２１のコーン保持枠２１ｂと摺動ガイド２３との間に介在するコイルスプリング２４と、スライダー６の側端部下面側に固設されて半割りテーパーコーン２２に外嵌するテーパー筒部６１とで構成されている。そして、コードリール７から索体引出し口１０に至る索体２は、摺動枠体２１の筒軸２１ａ内及びコーン保持枠２１ｂの中心孔に挿通し、半割りテーパーコーン２２の半割体２２ａ，２２ａ間を経て、テーパー筒部６１を貫通して索体引出し口１０に至っている。
【００３３】
半割りテーパーコーン２２は、両半割体２２ａ，２２ａの合体状態で、前方側（索体引出し口１０側）へ縮径する円錐台形のテーパーコーン部２２１の後端に、矩形フランジ部２２２を設けた形態を有している。そして、両半割体２２ａ，２２ａは、相互に離接可能に、各々の矩形フランジ部２２２，２２２を摺動枠体２１のコーン保持枠２１ｂに嵌合すると共に、両者間に介在させた一対の小コイルスプリング２５，２５の弾発力により、相互に離間するように付勢されている。また、両半割体２２ａ，２２ａの対向面には各々テーパーコーン部２２１の軸方向に沿う溝２６が形成され、両溝２６，２６間に索体２が配置すると共に、各溝２６の内周面には該索体２の引出し方向の摺接抵抗を引込み方向の摺接抵抗よりも大きくする歯形２６ａ（図９参照）が刻設されている。また、スライダー６側のテーパー筒部６１は、半割りテーパーコーン２２のテーパーコーン部２２１に対応して前方側（索体引出し口１０側）へ縮径する円錐孔６１ａを備え、この円錐孔６１ａに両半割体２２ａ，２２ａの前部側が嵌合している。
【００３４】
把持機構２０の摺動枠体２１は、索体緊締手段のスライダー６がスクリュー軸５の前端側（索体引出し口１０側）に位置するとき、コイルスプリング２４の弾発限界により、該スライダー６のテーパー筒部６１に対してテーパーコーン部２２１が非押接状態となり、図８及び図９（Ａ）に示すように半割りテーパーコーン２２の両半割体２２ａ，２２ａが小コイルスプリング２５，２５の弾発力で離間し、索体２に対する把持を解除している。従って、この把持解除下の索体２は、コードリール７の巻込み力に抗して外側へ引き出し可能であると共に、引出し状態から該コードリール７のばね蓄力によって自動的に引込み可能である。
【００３５】
一方、スライダー６がスクリュー軸５の前端側に位置する状態から、操作ハンドル４を引締め方向に回転（右回り回転）させると、逆ねじ型のスクリュー軸５の右回り回転によってスライダー６が後方側（内奥側）へ移動するから、まず図９（Ｂ）に示すように、スライダー６と一体に後方移動するテーパー筒部６１の円錐孔６１ａに、摺動枠体２１の半割りテーパーコーン２２が圧入し、テーパー誘導作用によって相互に接近する両半割体２２ａ，２２ａ間に索体２が挟まれて把持される。そして、更に操作ハンドル４の回転によってスライダー６が後方側へ移動すると、図９（Ｃ）に示すように、摺動枠体２１もコイルスプリング２５の付勢に抗して一体に後方側へ移動し、これに伴って半割りテーパーコーン２２に把持された索体２が強制的に引き込まれることになる。また、この緊締状態から操作ハンドル４を弛緩方向に回転（左回り回転）させると、スライダー６が前方側へ移動し、その分だけ索体２の緊締が弛み、更に操作ハンドル４を弛緩方向に回転させると、テーパー筒部６１へのテーパーコーン部２２１の押接がなくなり、両半割体２２ａ，２２ａが離間して索体２の把持を解除する。
【００３６】
しかして、スライダー６にはテーパー筒部６１が左右両側に設けてあるから、操作ハンドル４の回転操作に伴う索体２の把持及び把持解除は、左右両側で同時になされる。なお、図９（Ａ）〜図９（Ｃ）では、動作を判り易く拡大して示す必要から、摺動枠体２１の筒軸２１ａ及びコイルスプリング２４の長さを短く図示すると共に、スライダー６のテーパー筒部６１の構造も簡略化して図示している。
【００３７】
上記構成の荷役パレット用積荷拘束装置Ｍでは、既述のように、並置した２枚の荷役パレットＰ，Ｐにわたる積荷Ｆ…上に、中空蓋板１を両蓋半体１ａ，１ａが開いた形態として載置し、各索体引出し口１０から引き出した索体２の先端のパレット掛止具３を図４の如く荷役パレットＰのフォーク差込み口Ｅに掛止するが、各索体２の余分に引き出した長さ分がコードリール７によって自動的に中空蓋板１内に引き戻され、これによって各パレット掛止具３は両張出片３ｂ，３ｃがパレット上下板部ｐ１，ｐ２に当接する起立姿勢で自己保持できる。従って、次に操作ハンドル４を締付け方向に回転操作する際、作業者の手でパレット掛止具３を定姿勢に保持しておく必要がなく、拘束作業全体を一人の作業者で無理なく行える。また、作業手順も、中空蓋板１から索体２を引き出し、パレット掛止具３をパレットＰに掛止し、操作ハンドル４を回転操作するだけで済み、且つ該操作ハンドル４によって左右一対の索体２，２を同時に引き締めることができるから、非常に操作的に簡単であり、能率よく短時間で作業を完了できる。
【００３８】
また、操作ハンドル４によって索体２を引き締めた際、パレット掛止具３には索体止着側の張出片３ｂの先端側を持ち上げるように力が加わり、これによって該張出片３ｂがパレット上板部ｐ１に押し付けられると同時に、上記持ち上げの力が該張出片３ｂの基端の曲折部分３１を支点として垂直面内で回転させるように作用するから、下側の張出片３ｃもパレット下板部ｐ２上面に押し付けられ、もってパレット上下板部ｐ１，ｐ２の両方に圧接した強固な掛止状態となり、フォーク差込み口Ｅから抜出不能となる。更に、このパレット掛止具３は、ステー部３ａと各張出片３ｂ，３ｃとの曲折角度θを９０度以上とした引き延ばしＺ字状をなすから、索体止着側の張出片３ｂの先端と他方の張出片３ｃの基部３２とが接地する倒伏姿勢での高さｄ２が低くなり、パレットＰのフォーク差込み口Ｅへの挿入を倒伏姿勢で容易に行えると共に、両張出片３ｂ，３ｃの平行間隔ｄ１がフォーク差込み口Ｅの上下間隔に合致し、ステー部３ａの起立姿勢で両張出片３ｂ，３ｃがパレット上下板部ｐ１，ｐ２に対して面接触する形になるから、引締め力がパレット上下板部３ｂ，３ｃに分担されて且つ面接触で局部に集中せず、索体２の引締めによるパレットＰの損傷が回避されるという利点がある。
【００３９】
更に、この実施形態の積荷拘束装置Ｍによれば、操作ハンドル４の正逆回転により、中空蓋板１内での索体２の把持及び引締めと、該索体２の把持解除とを行うから、操作が非常に簡単である上、その回転によって引締め量を自在に設定できるから、積荷Ｆの種類と性状等に応じて引締め度合を調整することにより、引締め過多で積荷Ｆ…が変形したり逆に拘束不足になるのを防止できる。また、操作ハンドル４を把手４１によって容易に回転操作できると共に、該把手４１を倒伏させることで操作ハンドル４が回転不能にロックされるから、引締め後の索体２が操作ハンドル４の不用意な回転で弛む懸念もない。
【００４０】
なお、実施形態では中空蓋板１として並置した荷役パレット２枚分の積荷に適用する折畳み方式のものを例示したが、この発明の荷役パレット用積荷拘束装置は中空蓋板１が単なる厚板状で荷役パレット１枚分の積荷に適用するサイズであるものを包含することは言うまでもない。また、この発明では、索体緊締手段における中空蓋板１内での索体２の把持機構として種々の方式を採用できるが、実施形態のように把持部材に半割りテーパーコーン２２を用い、その両半割体２２ａ，２２ａをスライダー６の移動に伴うテーパー誘導で離接させる構成とすれば、該索体緊締手段による索体２の引締めと引締め解除が確実になされる。更に、索体巻込み手段についても種々の機構を採用できるが、実施形態のようにゼンマイばねを利用するコードリール７とすれば、無動力で確実な巻込み機能を発揮できる上、機構的に簡素で故障を生じにくく、低コストで調達できるという利点が得られる。その他、この発明に係る荷役パレット用積荷拘束装置の各部の細部構成については、実施形態以外に種々設計変更可能である。
【図面の簡単な説明】
【００４１】
【図１】この発明の一実施形態に係る荷役パレット用積荷拘束装置を示し、（Ａ）図は不使用時の折畳み形態の斜視図、（Ｂ）図は使用状態の斜視図である。
【図２】同積荷拘束装置の折畳み式中空蓋板の蓋半体同士を分離した状態での斜視図である。
【図３】同積荷拘束装置に用いるパレット掛止具を示し、（Ａ）図は斜視図、（Ｂ）図は側面図である。
【図４】同パレット掛止具の荷役パレットに対する掛止状態を示す要部の縦断側面図である。
【図５】同積荷拘束装置における索体緊締手段の操作ハンドル部分を示す横断平面図である。
【図６】同中空蓋板における蓋半体の上下板を分離した状態での斜視図である。
【図７】同積荷拘束装置における索体緊締手段の主要部を示す横断平面図である。
【図８】図７のＸ−Ｘ線の矢視断面図である。
【図９】同索体緊締手段による索体の引締め動作を段階的に示し、（Ａ）図は引締め前の非把持段階の横断平面図、（Ｂ）図は引締め開始時の索体把持段階の横断平面図、（Ｃ）図は引締め動作中の横断平面図である。
【符号の説明】
【００４２】
１・・・・・・・中空蓋板
１ａ・・・・・・蓋半体
２・・・・・・・索体
３・・・・・・・パレット掛止具
３ａ・・・・・・ステー部
３ｂ，３ｃ・・・張出片
４・・・・・・・操作ハンドル（索体緊締手段）
４１・・・・・・把手
５・・・・・・・スクリュー軸（索体緊締手段）
６・・・・・・・スライダー（索体緊締手段）
６１・・・・・・テーパー筒部
６１ａ・・・・・円錐孔
７・・・・・・・コードリール（索体巻込み手段）
１０・・・・・・索体引出し口
１１・・・・・・ロック孔（ロック部）
２０・・・・・・把持機構
２２・・・・・・半割りテーパーコーン
２２ａ・・・・・半割体
２２１・・・・・テーパーコーン部
２４・・・・・・コイルスプリング（ばね材）
２５・・・・・・小コイルスプリング（ばね材）
Ｅ・・・・・・・フォーク挿入口
Ｆ・・・・・・・積荷
Ｍ・・・・・・・荷役パレット用積荷拘束装置
Ｐ・・・・・・・荷役パレット
ｐ１・・・・・・パレット上板部
ｐ２・・・・・・パレット下板部
【図１】
2010023911.tif 000003
【図２】
2010023911.tif 000004
【図３】
2010023911.tif 000005
【図４】
2010023911.tif 000006
【図５】
2010023911.tif 000007
【図６】
2010023911.tif 000008
【図７】
2010023911.tif 000009
【図８】
2010023911.tif 000010
【図９】
2010023911.tif 000011